【手続補正書】
【提出日】平成28年5月10日(2016.5.10)
【手続補正１】
【補正対象書類名】特許請求の範囲
【補正対象項目名】全文
【補正方法】変更
【補正の内容】
【特許請求の範囲】
【請求項１】
水溶性カチオン性ポリマーが、主鎖とそれに結合した側鎖とを有する構造からなり、かつ分子量が２０００以上であり、
前記水溶性カチオン性ポリマーは、
以下の式１で表される繰り返し単位を有する第４級アンモニウム塩ホモポリマーであるか、又は、
以下の式１で表される繰り返し単位と、以下の式２で表される繰り返し単位とを有する第４級アンモニウム塩共重合物であり、
前記水溶性カチオン性ポリマーの前記主鎖と前記側鎖とが１点で結合しており、該側鎖が第４級アンモニウム部位を有する
ものである水溶性カチオン性ポリマーが適用された生理用品。
【化１】
2016107100.tif 000001
【化２】
2016107100.tif 000002
【請求項２】
経血の吸収に用いられる生理用品であって、
前記生理用品は高吸収性ポリマーを含み、
前記生理用品を構成するいずれかの部材に、流動電位が１５００μｅｑ／Ｌ以上であり、分子量が２０００以上である、第４級アンモニウム塩ホモポリマー又は第４級アンモニウム塩共重合物からなる水溶性カチオン性ポリマーを０．２ｇ／ｍ２以上２０ｇ／ｍ２以下有する生理用品。
【請求項３】
第４級アンモニウム塩ホモポリマー又は第４級アンモニウム塩共重合物が、主鎖とそれに結合した側鎖とを有する構造のものであり、主鎖と側鎖とが１点で結合している請求項２に記載の生理用品。
【請求項４】
高吸収性ポリマーと、該高吸収性ポリマーより肌側に存在する構成部材と、水溶性カチオン性ポリマーを含む吸収性物品であって、
前記水溶性カチオン性ポリマーは前記構成部材より肌側に配置され、且つ凝集速度が０．７５ｍＰａ・ｓ／ｓ以下である生理用品。
【請求項５】
前記水溶性カチオン性ポリマーが、第４級アンモニウム塩ホモポリマー又は第４級アンモニウム塩共重合物である請求項４に記載の生理用品。
【請求項６】
第４級アンモニウム塩ホモポリマーの分子量が１０００万以下であるか、又は
第４級アンモニウム塩共重合物が、第４級アンモニウム部位を有する重合性単量体と、カチオン性重合性単量体、アニオン性重合体単量体又はノニオン性重合性単量体との共重合物であり、その分子量が１０００万以下である請求項１、２、３、又は５に記載の生理用品。
【請求項７】
第４級アンモニウム塩共重合物が、第４級アンモニウム部位を有する重合性単量体と、カチオン性重合性単量体又はノニオン性重合性単量体との共重合物である請求項１、２、３、５又は６に記載の生理用品。
【請求項８】
前記水溶性カチオン性ポリマーを０．１質量％以上１０質量％以下含んでなる請求項１ないし７のいずれか一項に記載の生理用品。
【請求項９】
高吸収性ポリマーを含有し、かつ経血を吸収する生理用品の高吸収性ポリマー以外の構成部材を処理するために用いられる生理用品用処理剤であって、
前記処理剤は、分子量が２０００以上である水溶性カチオン性ポリマーを含み、
前記カチオン性ポリマーは、無機性値と有機性値との比率である無機性値／有機性値の値が０．６以上４．６以下であり、
前記カチオン性ポリマーが、第４級アンモニウム塩ホモポリマー、第４級アンモニウム塩共重合物又は第４級アンモニウム塩重縮合物である
生理用品用処理剤。
【請求項１０】
無機性値／有機性値の値が１．８以上３．６以下である請求項９に記載の生理用品用処理剤。
【請求項１１】
前記カチオン性ポリマーの有機性値をｘとし、無機性値をｙとしたとき、ｘとｙが、ｙ＝ａｘ（ａは０．６６以上４．５６以下の数である。）の関係を満たす請求項９又は１０に記載の生理用品用処理剤。
【請求項１２】
請求項９ないし１１のいずれか一項に記載の生理用品用処理剤を適用した生理用品。
【手続補正２】
【補正対象書類名】明細書
【補正対象項目名】００５１
【補正方法】変更
【補正の内容】
【００５１】
また、第４級アンモニウム部位を有さない重合性単量体としては、カチオン性重合性単量体、アニオン性重合性単量体、又はノニオン性重合性単量体を用いることができる。これらの重合性単量体中で、特にカチオン性重合性単量体又はノニオン性重合性単量体を用いることで、第４級アンモニウム塩共重合物内において第４級アンモニウム部位との電荷相殺が起こらないので、赤血球の凝集を効果的に生じさせることができる。カチオン性重合性単量体の例としては、特定の条件下でカチオンを帯びる窒素原子を有する環状化合物としてビニルピリジンなど、特定の条件下でカチオンを帯びる窒素原子を主鎖に有する直鎖状化合物としてジシアンジアミドとジエチレントリアミンの縮合化合物などが挙げられる。アニオン性重合性単量体の例としては、２−アクリルアミド−２−メチルプロパンスルホン酸、メタクリル酸、アクリル酸、及び、スチレンスルホン酸、並びに、これらの化合物の塩などが挙げられる。一方、ノニオン性重合性単量体の例としては、ビニルアルコール、アクリルアミド、ジメチルアクリルアミド、エチレングリコールモノメタクリレート、エチレングリコールモノアクリレート、ヒドロキシエチルメタクリレート、ヒドロキシエチルアクリレート、メチルメタクリレート、メチルアクリレート、エチルメタクリレート、エチルアクリレート、プロピルメタクリレート、プロピルアクリレート、ブチルメタクリレート、ブチルアクリレートなどが挙げられる。これらカチオン性重合性単量体、アニオン性重合性単量体、又はノニオン性重合性単量体は、それらのうちの一つを用いることができ、あるいは任意の２種以上を組み合わせて用いることができる。またカチオン性重合性単量体を２種以上組み合わせて用いることができ、アニオン性重合性単量体を２種以上組み合わせて用いることができ、あるいはノニオン性重合性単量体を２種以上組み合わせて用いることもできる。カチオン性重合性単量体、アニオン性重合性単量体及び／又はノニオン性重合性単量体を重合性単量体として用いて共重合された第４級アンモニウム塩共重合物は、その分子量が、上述のとおり１０００万以下であることが好ましく、特に５００万以下、とりわけ３００万以下であることが好ましい（以下に例示する第４級アンモニウム塩共重合物についても同様である。）。
【手続補正３】
【補正対象書類名】明細書
【補正対象項目名】００５２
【補正方法】変更
【補正の内容】
【００５２】
第４級アンモニウム部位を有さない重合性単量体として、水素結合をすることが可能な官能基を有する重合性単量体を用いることもできる。このような重合性単量体を共重合に用いること、それから得られる第４級アンモニウム塩共重合物を用いて赤血球を凝集させたときに、硬い凝集塊が生じやすくなり、高吸収性ポリマーの吸収性能が一層阻害されにくくなる。水素結合をすることが可能な官能基としては、例えば−ＯＨ、−ＮＨ２、−ＣＨＯ、−ＣＯＯＨ、−ＨＦ、−ＳＨなどが挙げられる。水素結合をすることが可能な官能基を有する重合性単量体の例としては、ヒドロキシエチルメタクリレート、ビニルアルコール、アクリルアミド、ジメチルアクリルアミド、エチレングリコールモノメタクリレート、エチレングリコールモノアクリレート、ヒドロキシエチルメタクリレート、ヒドロキシエチルアクリレートなどが挙げられる。特に、水素結合が強く働く、ヒドロキシエチルメタクリレート、２−ヒドロキシエチルメタクリレート、ヒドロキシエチルアクリレート、ジメチルアクリルアミドなどは、第４級アンモニウム塩ポリマーの赤血球への吸着状態が安定化するので好ましい。これらの重合性単量体は１種を単独で、又は２種以上を組み合わせて用いることができる。
【手続補正４】
【補正対象書類名】明細書
【補正対象項目名】００７４
【補正方法】変更
【補正の内容】
【００７４】
＜７＞
ノニオン性重合性単量体が、ビニルアルコール、アクリルアミド、ジメチルアクリルアミド、エチレングリコールモノメタクリレート、エチレングリコールモノアクリレート、ヒドロキシエチルメタクリレート、ヒドロキシエチルアクリレート、メチルメタクリレート、メチルアクリレート、エチルメタクリレート、エチルアクリレート、プロピルメタクリレート、プロピルアクリレート、ブチルメタクリレート又はブチルアクリレートである前記＜４＞に記載の生理用品。
＜８＞
第４級アンモニウム塩共重合物が、第４級アンモニウム部位を有する重合性単量体と、水素結合をすることが可能な官能基を有する重合性単量体との共重合物である前記＜１＞ないし＜３＞のいずれか１に記載の生理用品。
＜９＞
水素結合をすることが可能な官能基が、−ＯＨ、−ＮＨ２、−ＣＨＯ、−ＣＯＯＨ、−ＨＦ又は−ＳＨである前記＜８＞に記載の生理用品。
＜１０＞
水素結合をすることが可能な官能基を有する重合性単量体が、ヒドロキシエチルメタクリレート、ビニルアルコール、アクリルアミド、ジメチルアクリルアミド、エチレングリコールモノメタクリレート、エチレングリコールモノアクリレート、ヒドロキシエチルメタクリレート又はヒドロキシエチルアクリレートである前記＜８＞又は＜９＞のいずれか１に記載の生理用品。
＜１１＞
第４級アンモニウム塩共重合物が、第４級アンモニウム部位を有する重合性単量体と、疎水性相互作用をすることが可能な官能基を有する重合性単量体との共重合物である前記＜１＞ないし＜３＞のいずれか１に記載の生理用品。
【手続補正５】
【補正対象書類名】明細書
【補正対象項目名】００８０
【補正方法】変更
【補正の内容】
【００８０】
＜２７＞
ノニオン性重合性単量体が、ビニルアルコール、アクリルアミド、ジメチルアクリルアミド、エチレングリコールモノメタクリレート、エチレングリコールモノアクリレート、ヒドロキシエチルメタクリレート、ヒドロキシエチルアクリレート、メチルメタクリレート、メチルアクリレート、エチルメタクリレート、エチルアクリレート、プロピルメタクリレート、プロピルアクリレート、ブチルメタクリレート又はブチルアクリレートである前記＜２４＞に記載の生理用品。
＜２８＞
高吸収性ポリマーと、該高吸収性ポリマーより肌側に存在する構成部材と、水溶性カチオン性ポリマーを含む吸収性物品であって、
前記水溶性カチオン性ポリマーは前記構成部材より肌側に配置され、且つ凝集速度が０．７５ｍＰａ・ｓ／ｓ以下である生理用品。
＜２９＞
前記水溶性カチオン性ポリマーの凝集速度が０．３２ｍＰａ・ｓ／ｓ以下である前記＜２８＞に記載の生理用品。
＜３０＞
前記水溶性カチオン性ポリマーが、第４級アンモニウム塩ホモポリマー又は第４級アンモニウム塩共重合物である前記＜２８＞又は＜２９＞に記載の生理用品。
＜３１＞
第４級アンモニウム塩ホモポリマーの分子量が１０００万以下であるか、又は
第４級アンモニウム塩共重合物が、第４級アンモニウム部位を有する重合性単量体と、カチオン性重合性単量体、アニオン性重合体単量体又はノニオン性重合性単量体との共重合物であり、その分子量が１０００万以下である前記＜２８＞ないし＜３０＞のいずれか１に記載の生理用品。
【手続補正６】
【補正対象書類名】明細書
【補正対象項目名】００８１
【補正方法】変更
【補正の内容】
【００８１】
＜３２＞
カチオン性重合性単量体が、ビニルピリジン、又はジシアンジアミドとジエチレントリアミンとの縮合化合物である前記＜３１＞に記載の生理用品。
＜３３＞
アニオン性重合性単量体が、２−アクリルアミド−２−メチルプロパンスルホン酸、メタクリル酸、アクリル酸若しくはスチレンスルホン酸又はこれらの化合物の塩である前記＜３１＞に記載の生理用品。
＜３４＞
ノニオン性重合性単量体が、ビニルアルコール、アクリルアミド、ジメチルアクリルアミド、エチレングリコールモノメタクリレート、エチレングリコールモノアクリレート、ヒドロキシエチルメタクリレート、ヒドロキシエチルアクリレート、メチルメタクリレート、メチルアクリレート、エチルメタクリレート、エチルアクリレート、プロピルメタクリレート、プロピルアクリレート、ブチルメタクリレート又はブチルアクリレートである前記＜３１＞に記載の生理用品。
＜３５＞
第４級アンモニウム塩共重合物が、第４級アンモニウム部位を有する重合性単量体と、カチオン性重合性単量体又はノニオン性重合性単量体との共重合物である前記＜２８＞ないし＜３４＞のいずれか１に記載の生理用品。
＜３６＞
第４級アンモニウム塩ホモポリマー又は第４級アンモニウム塩共重合物が、アルキル化剤により第４級アンモニウム化されたものである前記＜２８＞ないし＜３５＞のいずれか１に記載の生理用品。
【手続補正７】
【補正対象書類名】明細書
【補正対象項目名】００８３
【補正方法】変更
【補正の内容】
【００８３】
＜４２＞
水素結合をすることが可能な官能基を有する重合性単量体が、ヒドロキシエチルメタクリレート、ビニルアルコール、アクリルアミド、ジメチルアクリルアミド、エチレングリコールモノメタクリレート、エチレングリコールモノアクリレート、ヒドロキシエチルメタクリレート又はヒドロキシエチルアクリレートである前記＜４０＞又は＜４１＞に記載の生理用品。
＜４３＞
第４級アンモニウム塩共重合物が、第４級アンモニウム部位を有する重合性単量体と、疎水性相互作用をすることが可能な官能基を有する重合性単量体との共重合物である前記＜２８＞ないし＜３８＞のいずれか１に記載の生理用品。
＜４４＞
疎水性相互作用をすることが可能な官能基が、メチル基、エチル基、ブチル基等のアルキル基、フェニル基、アルキルナフタレン基、フッ化アルキル基である前記＜４３＞に記載の生理用品。
＜４５＞
疎水性相互作用をすることが可能な官能基を有する重合性単量体が、メチルメタクリレート、メチルアクリレート、エチルメタクリレート、エチルアクリレート、プロピルメタクリレート、プロピルアクリレート、ブチルメタクリレート、ブチルアクリレート又はスチレンである前記＜４３＞又は＜４４＞に記載の生理用品。
＜４６＞
第４級アンモニウム塩共重合物は、第４級アンモニウム部位を有する重合性単量体と、第４級アンモニウム部位を有さない重合性単量体との共重合物であり、該共重合物における第４級アンモニウム部位を有する重合性単量体のモル比が７０モル％以上である前記＜２８＞ないし＜４５＞のいずれか１に記載の生理用品。